(57)【特許請求の範囲】
【請求項１】
通信端末装置と無線通信を行っている第１の通信装置を介して、前記通信端末装置と通信を行う通信手段と、
前記通信手段において前記通信端末装置から受信する通信の開始を示す情報である着信通知を基に、自装置の周囲に前記着信通知を受けたことを示す所定の通知を行う通知手段と、
自装置の周囲からの所定の応答を検知する検知手段と、
前記検知手段を介して前記所定の通知への前記所定の応答を検知した場合に、前記通信端末装置に前記応答を示す情報を前記通信手段から着信応答として送信し、前記通信端末装置との通信を開始する通信制御手段と、
自装置の周囲に人がいるかを検出する人検出手段と
を備え、
前記人検出手段が前記人を検知していないときに、前記着信通知を受けとった場合に、前記通知手段は、前記所定の通知を行わないことを特徴とする通信装置。
【請求項２】
通信端末装置と無線通信を行っている第１の通信装置を介して、前記通信端末装置と通信を行う通信手段と、
前記通信手段において前記通信端末装置から受信する通信の開始を示す情報である着信通知を基に、自装置の周囲に前記着信通知を受けたことを示す所定の通知を行う通知手段と、
自装置の周囲からの所定の応答を検知する検知手段と、
前記検知手段を介して前記所定の通知への前記所定の応答を検知した場合に、前記通信端末装置に前記応答を示す情報を前記通信手段から着信応答として送信し、前記通信端末装置との通信を開始する通信制御手段と
を備え、
前記通信手段は、第２の通信装置とさらに通信を行う手段を有し、
前記通信制御手段は、前記通信手段において、前記第１の通信装置から前記着信通知を受け取ったときに、前記第２の通信装置に前記着信通知を中継し、前記第２の通信装置が前記通信端末装置と通信を行う場合に、前記第２の通信装置と前記通信端末装置との間で送受信されるデータの中継を行うことを特徴とする通信装置。
【請求項３】
自装置の周囲に人がいるかを検出する人検出手段をさらに有し、
前記人検出手段が前記人を検知していないときに、前記着信通知を受けとった場合に、前記通知手段は、前記所定の通知を行わないことを特徴とする請求項２に記載の通信装置。
【請求項４】
前記通信制御手段は、前記通信手段を介して前記通信端末装置と通信を行うとき、前記通信端末装置から送られてくる音声データを基に前記通知手段から音声を出力し、前記検知手段が検知する自装置の周囲で発せられた前記音声に基づくデータを前記通信端末装置に送ることを特徴とする請求項１から３いずれかに記載の通信装置。
【請求項５】
前記通信制御手段は、前記検知手段において自装置からの発信を検知したときに、前記通信手段を介して前記第１の通信装置に前記発信を示す情報を発信通知として送信し、前記通信端末装置との通信を開始することを特徴とする請求項１から４いずれかに記載の通信装置。
【請求項６】
無線通信手段を有する通信端末装置と、
前記通信端末装置と無線通信を行う手段、および隣接する通信装置と通信を行う手段を有する通信手段、
前記通信手段において前記通信端末装置から受信する通信の開始を示す情報である着信通知を基に、自装置の周囲に前記着信通知を受けたことを示す所定の通知を行う通知手段、
前記着信通知を、前記通信手段を介して前記隣接する通信装置に中継する制御手段、並びに
自装置の周囲の音声を検知する検知手段を備え、
前記制御手段は、前記検知手段において前記所定の通知への応答を検知した場合に、前記通信手段において前記通信端末装置と通信を行い、前記隣接する通信装置が前記通信端末装置と通信を行う場合に、前記通信手段において、前記隣接する通信装置と前記通信端末装置との間で送受信されるデータの中継を行う通信装置からなる第１の中継装置と、
請求項１から５いずれかに記載の通信装置からなる第２の中継装置と
を備え、
前記第１の中継装置は、前記通信端末装置から前記着信通知を受けたときに、前記着信通知を前記第２の中継装置に送り、前記第２の中継装置は、前記応答を検知したときに前記第１の中継装置を介して前記通信端末装置に前記着信応答を送信することを特徴とする通信システム。
【請求項７】
前記第１の中継装置、および前記第２の中継装置は、自装置の周囲を照明によって照らす照明手段をさらに備え、
自装置の前記照明が点灯されていないときに、前記着信通知を受け取った場合に、前記所定の通知を行わないことを特徴とする請求項６に記載の通信システム。
【請求項８】
無線通信手段を有する通信端末装置と、
通信端末装置と無線通信を行う手段、および隣接する通信装置と通信を行う手段を有する通信手段、
前記通信手段において前記通信端末装置から受信する通信の開始を示す情報である着信通知を基に、自装置の周囲に前記着信通知を受けたことを示す所定の通知を行う通知手段、
前記着信通知を、前記通信手段を介して前記隣接する通信装置に中継する制御手段、
自装置の周囲の音声を検知する検知手段、並びに
自装置の周囲を照明によって照らす照明手段を備え、
前記制御手段は、前記検知手段において前記所定の通知への応答を検知した場合に、前記通信手段において前記通信端末装置と通信を行い、前記隣接する通信装置が前記通信端末装置と通信を行う場合に、前記通信手段において、前記隣接する通信装置と前記通信端末装置との間で送受信されるデータの中継を行う通信装置からなる第１の中継装置と、
通信端末装置と無線通信を行っている第１の通信装置を介して、前記通信端末装置と通信を行う通信手段、
前記通信手段において前記通信端末装置から受信する通信の開始を示す情報である着信通知を基に、自装置の周囲に前記着信通知を受けたことを示す所定の通知を行う通知手段、
自装置の周囲からの所定の応答を検知する検知手段、
前記検知手段を介して前記所定の通知への前記所定の応答を検知した場合に、前記通信端末装置に前記応答を示す情報を前記通信手段から着信応答として送信し、前記通信端末装置との通信を開始する通信制御手段、および
自装置の周囲を照明によって照らす照明手段を備える通信装置からなる第２の中継装置と
を備え、
自装置の前記照明が点灯されていないときに、前記着信通知を受け取った場合に、前記所定の通知を行わないことを特徴とする通信システム。
【請求項９】
前記第１の中継装置は、自装置の周囲に人がいるかを検出する人検出手段をさらに備え、
前記人検出手段が前記人を検知していないときに、前記着信通知を受けとった場合に、前記通知手段は、前記所定の通知を行わない請求項８に記載の通信システム。
【請求項１０】
通信端末装置と無線通信を行っている第１の通信装置を介して、前記通信端末装置と通信し、
前記通信端末装置から受信する通信の開始を示す情報である着信通知を基に、自装置の周囲に前記着信通知を受けたことを示す所定の通知を行い、
自装置の周囲からの所定の応答を検知し、
前記所定の通知への前記所定の応答を検知した場合に、前記通信端末装置に前記応答を示す情報を着信応答として送信し、前記通信端末装置との通信を開始し、
第２の通信装置とさらに通信し、
前記第１の通信装置から前記着信通知を受け取ったときに、前記第２の通信装置に前記着信通知を中継し、
前記第２の通信装置が前記通信端末装置と通信を行う場合に、前記第２の通信装置と前記通信端末装置との間で送受信されるデータの中継を行うことを特徴とする通信方法。
【発明の詳細な説明】
【技術分野】
【０００１】
本発明は、通信端末装置を介して通信を行う技術に関するものであり、特に、通信端末装置から離れた場所において通信を行う技術に関するものである。
【背景技術】
【０００２】
無線通信機能を有する情報端末装置やスマートフォン等の携帯型の通信端末装置が広く用いられている。そのような通信端末装置は、利用者によって常に携帯されて使用される場合が多い。そのため、携帯型の通信端末装置は、置かれている場所や利用者の状態に関わらずに常時、使用できることが望ましい。また、携帯型の通信端末装置は、二次電池によって動作することが多いが、高機能化が進み消費電力が増大しているため、待機時や動作時における消費電力はできるだけ抑制されていることが望ましい。
【０００３】
携帯型の通信端末装置は、充電や仮置きしている場合などには、利用者から離れた場所に置かれていることもある。そのような場合には、利用者は直接、手で通信端末装置を操作することはできない。また、通信相手から通話の要求があった場合などに利用者が他の作業を行っていて、通信端末装置を直接、操作できないことも生じ得る。しかし、常時、携帯されていることを想定している通信端末装置では、通信相手から通話の要求があった場合などに通信端末装置が置かれている場所や利用者の状態によらずに応答を行って通信を開始できることが望ましい。そのため、利用者が直接、通信端末装置を操作できないような場合においても、手で操作を行わないハンズフリーで応答を行えることが望ましく、直接、操作を行わなくても通話の要求等に応答し動作を可能にするための技術の開発が行われている。そのような、通信端末装置において、利用者が直接、手で操作を行わなくても通話の要求等に応答し動作を可能にする技術としては、例えば、特許文献１のような技術が開示されている。
【０００４】
特許文献１は、通話端末と、中継モジュールと、報知端末を備えるハンズフリー型の通話システムに関するものである。特許文献１の通話システムでは、通話端末が通話先からの着信を検知すると、受話信号が中継モジュールを介して報知端末に送信される。報知端末装置は、受話信号を基にスピーカから着信を示す音を報知する。また、特許文献１のハンズフリー型の通話システムでは、利用者が通話端末を手に持って操作できないときに、中継モジュールが有するマイクロフォンにおいて利用者の声が集音され、端末装置に送られている。そのため、特許文献１のハンズフリー型の通話装置では、利用者は端末装置とは別の場所にある報知装置から着信を認識し、中継モジュールを用いて通話を行うことができる。
【先行技術文献】
【特許文献】
【０００５】
【特許文献１】特開２０１５−２０１８２３号公報
【発明の概要】
【発明が解決しようとする課題】
【０００６】
しかしながら、特許文献１の技術は次のような点で十分ではない。特許文献１の通話システムでは、通話端末から送られてきた着信の通知を中継モジュールが報知端末に送り、報知端末から利用者に着信等を通知している。また、特許文献１の通話システムでは、中継モジュールにおいて利用者の音声が集音されている。そのため、特許文献１の通話システムでは、端末装置の無線電波が届く範囲でのみしか端末装置にアクセスすることができない。よって、端末装置からの無線電波が届きにくいところでは、電波の強度を高くする必要があり消費電力の増大等が生じ得る。また、電波を遮蔽するような壁等の背後に中継モジュールや報知端末がある場合には、利用者は着信を認識することや通話を行うことはできない。よって、特許文献１の技術は、通信端末装置の消費電力を抑制しつつ場所や利用者の状態に依存せず通話等の通信を行うための技術としては十分ではない。
【０００７】
本発明は、上記の課題を解決するため、通信端末装置の消費電力を抑制しつつ、場所や利用者の状態に依存せず通話等の通信を行うことができる通信装置を得ることを目的としている。
【課題を解決するための手段】
【０００８】
上記の課題を解決するため、本発明の通信装置は、通信手段と、通知手段と、検知手段と、通信制御手段を備えている。通信手段は、通信端末装置と無線通信を行っている第１の通信装置を介して、通信端末装置と通信を行う。通知手段は、通信手段において通信端末装置から受信する通信の開始を示す情報である着信通知を基に、自装置の周囲に着信通知を受けたことを示す所定の通知を行う。検知手段は、自装置の周囲からの所定の応答を検知する。通信制御手段は、検知手段を介して所定の通知への所定の応答を検知した場合に、通信端末装置に応答を示す情報を通信手段から着信応答として送信し、通信端末装置との通信を開始する。
【０００９】
本発明の通信方法は、通信端末装置と無線通信を行っている第１の通信装置を介して、通信端末装置と通信する。本発明の通信方法は、通信端末装置から受信する通信の開始を示す情報である着信通知を基に、自装置の周囲に着信通知を受けたことを示す所定の通知を行う。本発明の通信方法は、自装置の周囲からの所定の応答を検知し、所定の通知への所定の応答を検知した場合に、通信端末装置に応答を示す情報を着信応答として送信し、通信端末装置との通信を開始する。
【発明の効果】
【００１０】
本発明によると、通信端末装置の消費電力を抑制しつつ、場所や利用者の状態に依存せず通話等の通信を行うことができる。
【図面の簡単な説明】
【００１１】
【図１】本発明の第１の実施形態の構成の概要を示す図である。
【図２】本発明の第２の実施形態の構成の概要を示す図である。
【図３】本発明の第２の実施形態の照明装置の構成の概要を示す図である。
【図４】本発明の第２の実施形態の通信端末装置の構成の概要を示す図である。
【図５】本発明の第２の実施形態における動作フローの概要を示した図である。
【図６】本発明の第２の実施形態における動作フローの概要を示した図である。
【図７】本発明の第２の実施形態において通話を開始する際の動作状態を模式的に示した図である。
【図８】本発明の第２の実施形態における動作フローの概要を示した図である。
【図９】本発明の第２の実施形態における動作フローの概要を示した図である。
【図１０】本発明の第３の実施形態の構成の概要を示す図である。
【図１１】本発明の第３の実施形態の照明装置の構成の概要を示す図である。
【図１２】本発明の第３の実施形態における動作フローの概要を示した図である。
【図１３】本発明の第３の実施形態において通話を開始する際の動作状態を模式的に示した図である。
【発明を実施するための形態】
【００１２】
（第１の実施形態）
本発明の第１の実施形態について図を参照して詳細に説明する。図１は、本実施形態の通信装置の構成の概要を示したものである。本実施形態の通信装置は、通信手段１と、通知手段２と、検知手段３と、通信制御手段４を備えている。通信手段１は、通信端末装置と無線通信を行っている第１の通信装置を介して、通信端末装置と通信を行う。通知手段２は、通信手段１において通信端末装置から受信する通信の開始を示す情報である着信通知を基に、自装置の周囲に着信通知を受けたことを示す所定の通知を行う。検知手段３は、自装置の周囲からの所定の応答を検知する。通信制御手段４は、検知手段３を介して所定の通知への所定の応答を検知した場合に、通信端末装置に応答を示す情報を通信手段１から着信応答として送信し、通信端末装置との通信を開始する。
【００１３】
本実施形態の通信装置は、通信手段１において通信端末装置と無線通信を行っている第１の通信装置を介して、通信端末装置と通信を行うので、通信端末装置から離れた場所においても通信端末装置との通信を行うことができる。本実施形態の通信装置では、通知手段２から周囲に通知した着信通知への応答を検知手段３において検知し、通信制御手段４が通信端末装置との通信を開始している。そのため、本実施形態の通信装置は、利用者が直接、手で通信端末装置を操作しなくても、通信端末装置から離れた場所において通信を開始することができる。また、本実施形態の通信装置を用いることで、通信端末装置は、利用者の近傍まで届く強度ではなく、第１の通信装置と通信を行える強度の無線信号を出力すればよいので、待機時や動作時の消費電力を抑制することができる。その結果、本実施形態の通信装置を用いることで、通信端末装置の消費電力を抑制しつつ、場所や利用者の状態に依存せず通話等の通信を行うことができる。
【００１４】
（第２の実施形態）
本発明の第２の実施形態について図を参照して詳細に説明する。図２は、本実施形態の照明付き通信システムの構成の概要を示したものである。本実施形態の照明付き通信システムは、第１の照明装置１１と、第２の照明装置１２と、第３の照明装置１３と、通信端末装置２０と、基地局３０を備えている。また、第１の照明装置１１、第２の照明装置１２および第３の照明装置１３はそれぞれ第１の部屋１４、第２の部屋１５および第３の部屋１６に備えられている。本実施形態の照明付き通信システムは、利用者４０が通信端末装置２０に第１の照明装置１１、第２の照明装置１２および第３の照明装置１３を介してアクセスし、通信端末装置２０の通信先と通話等の通信を行うことができることを特徴とする。
【００１５】
本実施形態の第１の部屋１４、第２の部屋１５および第３の部屋１６はそれぞれ区切られた空間である。照明装置の数および区切られた空間の数は、それぞれ３つ以外であってもよい。また、水平方向だけでなく垂直方向に照明装置および区切られた空間が配置されていてもよい。また、照明装置の間に空間を仕切る壁等を設けずに、１つの空間に２つ以上の照明装置が備えられていてもよい。
【００１６】
第１の照明装置１１、第２の照明装置１２および第３の照明装置１３の構成について説明する。図３は、第１の照明装置１１、第２の照明装置１２および第３の照明装置１３として用いる照明装置５０の構成の概要を示したものである。照明装置５０は、照明部５１と、制御部５２と、短距離無線通信部５３と、スピーカ５４と、マイク５５と、音声解析部５６と、記憶部５７を備えている。
【００１７】
照明部５１は、点灯部を有し各部屋の照明としての機能を有する。点灯部としては、例えば、ＬＥＤ（Light Emitting Diode）や有機ＥＬ（Electroluminescence）等の発光素子が用いられる。照明部５１は、利用者４０による操作に基づいて点灯部の点灯および消灯を行う。照明部５１は、利用者４０の存在の有無を感知センサによって検出して、点灯部の点灯および消灯を行う構成であってもよい。照明部５１は、照明の輝度が複数の階調で設定可能な構成であってもよく、また、点滅が可能な構成であってもよい。
【００１８】
制御部５２は、照明装置５０における通信および各部位の制御を行う機能を有する。制御部５２は、短距離無線通信部５３を介して通信端末装置２０または自装置とペアリングされた照明装置５０から制御信号や音声信号を受け取ると、自装置とペアリングされた照明装置５０のうちもう一方の照明装置５０に制御信号や音声信号を送信する。自装置とペアリングされた照明装置５０が１つの場合に、ペアリングされた照明装置５０から制御信号等を受け取った場合には、制御部５２は、他の照明装置５０への送信を行わない。
【００１９】
以下の説明において、ペアリングされた照明装置５０とは、各々の短距離無線通信部５３を介して無線通信を行う隣接した２つの照明装置５０を組み合わせのことをいう。各照明装置は、１つまたは２つの照明装置とペアリングされている。例えば、第１の照明装置１１、第２の照明装置１２および第３の照明装置１３の３つの照明装置が順に設置されているとき、第１の照明装置１１および第３の照明装置１３は、第２の照明装置１２とのみペアリングされている。また、第２の照明装置１２は、第１の照明装置１１および第３の照明装置１３とそれぞれペアリングされ２つの照明装置とペアリングされている。
【００２０】
制御部５２は、短距離無線通信部５３を介して通信端末装置２０および他の照明装置５０から鳴動指示を示す制御信号を受け取ると、スピーカ５４に鳴動指示を送信する。
【００２１】
制御部５２は、音声解析部５６から通話機能に関する所定の用語を検出したことを示す情報を受け取ると、所定の用語に対応する通知を、短距離無線通信部５３を介して通信端末装置２０またはペアリングされている照明装置５０に送る。また、制御部５２は、ペアリングされている照明装置５０から音声データまたは通話機能に関する通知を受け取ると、受け取った音声データまたは通知を、もう一方のペアリングされている照明装置５０または通信端末装置２０に送る。
【００２２】
制御部５２は、自装置を介して通話中にマイク５５から音声データを受け取ると、受け取った音声データを、ペアリングされているうち通信端末装置２０側の照明装置５０または通信端末装置２０に送る。また、制御部５２は、自装置を介して通話中に音声データを通信端末装置２０または他の照明装置５０から受け取ると、受け取った音声データをスピーカ５４に送る。また、本実施形態の制御部５２は、第１の実施形態の通信制御手段４に相当する。
【００２３】
短距離無線通信部５３は、隣接する照明装置５０および通信端末装置２０と無線通信を行う機能を有する。隣接する照明装置５０とは、自装置とペアリングされた照明装置５０のことをいう。短距離無線通信部５３は、隣接する照明装置５０および通信端末装置２０と無線通信を行い、受信したデータを照明装置５０内で用いる信号形式に変換して制御部５２に送る。また、短距離無線通信部５３は、制御部５２から受け取ったデータを無線信号に変換して照明装置５０および通信端末装置２０に送る。短距離無線通信部５３が通信を行う隣接する照明装置５０の情報は、記憶部５７に設定されている。また、本実施形態の短距離無線通信部５３は、第１の実施形態の通信手段１に相当する。
【００２４】
スピーカ５４は、音声によって利用者４０に情報を通知する機能を有する。スピーカ５４は、制御部５２から送られてくる音声データを音声に変換して、照明装置５０が設置されている部屋に音声を出力する。また、本実施形態のスピーカ５４は、第１の実施形態の通知手段２に相当する。
【００２５】
マイク５５は、利用者４０の音声を検出する機能を有する。マイク５５は、照明装置５０が設置されている部屋の内部で生じる音声を集音し、集音した音声のデータを制御部５２および音声解析部５６に送る。また、本実施形態のマイク５５は、第１の実施形態の検知手段３に相当する。
【００２６】
音声解析部５６は、マイク５５を介して入力された利用者４０の音声を解析する機能を有する。音声解析部５６は、マイク５５から入力される利用者４０の音声を解析し、通話機能に関する所定の用語を検出する。所定の用語としては、受話、発信、保留および切断などの通話動作に対応する用語が設定され、それぞれに対応する用語の例があらかじめ設定されている。音声解析部５６は、マイク５５から入力された利用者４０の音声を用語に変換し、変換した用語が通話機能に対応する所定の用語に該当するかを判断する。音声解析部５６は、通話機能に対応する所定の用語を検出すると、検出した所定の用語の情報を制御部５２に送る。
【００２７】
記憶部５７は、照明装置５０の動作に関する各データを保存する機能を有する。記憶部５７は、短距離無線通信部５３を介して通信を行う他の照明装置５０の情報が保存されている。記憶部５７には、自装置がどの照明装置５０とペアリングされているのかの情報が設定されている。自装置がどの照明装置５０とペアリングされているのかの情報は、照明装置５０の設置時等に作業者によってあらかじめ設定されている。自装置がどの照明装置５０とペアリングされているのかの情報は、利用者４０や保守作業者等が操作する通信端末装置２０やその他の通信装置から短距離無線通信部５３を介して入力されるデータに基づいて更新できる構成としてもよい。
【００２８】
通信端末装置２０は、基地局と無線通信を行って他の通信端末装置と通話を行う機能を有する。また、通信端末装置２０は、第１の照明装置１１と基地局３０の間で通信の中継を行う中継装置としての機能を有する。通信端末装置２０としては、例えば、スマートフォンや携帯電話装置が用いられる。通信端末装置２０には、スマートフォン等以外の無線通信機能を有する情報端末装置や通信装置が用いられていてもよい。
【００２９】
図４は、本実施形態の通信端末装置２０の構成の概要について示したものである。通信端末装置２０は、無線通信部２１と、短距離無線通信部２２と、通信制御部２３と、入出力部２４を備えている。
【００３０】
無線通信部２１は、基地局３０との間で無線通信を行う機能を有する。無線通信部２１は、基地局３０と、例えば、ＬＴＥ（Long Term Evolution）方式に基づいた無線通信を行う。無線通信部２１と基地局３０の間の通信方式は、他の通信方式に基づいたものであってもよい。無線通信部２１は、通信制御部２３の制御に基づいて無線通信を行う。
【００３１】
短距離無線通信部２２は、第１の照明装置１１の短距離無線通信部５３との間で無線通信を行う機能を有する。短距離無線通信部２２は、通信制御部２３の制御に基づいて第１の照明装置１１の短距離無線通信部５３との間で無線通信を行う。
【００３２】
通信制御部２３は、通信端末装置２０の通信全般を制御する機能を有する。通信制御部２３は、利用者４０が直接、通信端末装置２０を操作しているときは、入出力部２４から入力された音声およびデータを基に無線通信部２１を介して基地局３０との通信を行う。また、通信制御部２３は、無線通信部２１を介して基地局３０から受け取ったデータを入出力部２４に出力する。
【００３３】
通信制御部２３は、利用者４０が直接、通信端末装置２０を操作できないとき、すなわち、第１の照明装置１１と基地局３０の間の通信を中継する。通信制御部２３は、通話中に短距離無線通信部２２を介して入力された音声データを、無線通信部２１を介して基地局３０に送信する。通信制御部２３は、通話中に無線通信部２１を介して入力された音声データを第１の照明装置１１に送信する。
【００３４】
通信制御部２３は、通信制御部２３は、短距離無線通信部２２を介して受け取る制御信号を基に、基地局３０との間の通話の開始や切断等の通信を制御する。また、通信制御部２３は、無線通信部２１を介して基地局３０から受け取った制御信号を基に、各照明装置への鳴動指示等の情報を送り、利用者４０側の通話動作を制御する。
【００３５】
入出力部２４は、通信端末装置２０の入出力インターフェースとしての機能を有する。入出力部２４は、マイク、スピーカおよび表示装置など音声およびデータの入出力デバイスによって構成されている。
【００３６】
基地局３０は、無線信号の送受信を行い通信端末装置２０と通信を行う無線基地局としての機能を有する。基地局３０は、電話網に接続され、通信端末装置２０の利用者４０は、電話網に接続された他の電話の利用者と通話を行うことができる。
【００３７】
本実施形態の通信システムにおいて通話が行われる際の動作について説明する。図５および図６は、本実施形態の通信システムにおいて通話が行われる際の動作フローを示したシーケンス図である。以下の説明は、通信端末装置２０が第１の部屋１４に置かれ、利用者４０が第３の部屋１６にいるときに、基地局３０を介して通信端末装置２０に着信があった場合を例にして行う。
【００３８】
基地局３０は、電話網などを介して通信端末装置２０への通話要求を受け取ると、通信端末装置２０に着信通知を送信する（ステップ１０１）。基地局３０から着信通知を受け取ると、通信端末装置２０は、発信者の情報と鳴動を示す制御信号である鳴動指示を第１の照明装置１１に送る（ステップ１０２）。
【００３９】
第１の照明装置１１の制御部５２は、短距離無線通信部５３を介して、通信端末装置２０から発信者の情報と鳴動指示を受け取ると、スピーカ５４を制御して第１の部屋１４内に着信を示す音声を鳴動させる（ステップ１０３）。着信を示す鳴動は、例えば、音楽、発信者の情報および着信を通知するメッセージによって構成されている。制御部５２は、例えば、スピーカ５４から着信を示す音楽を出力した後に、「Ａさんから電話です」のようなメッセージを出力することで利用者４０に着信と発信元の情報を通知する。また、第１の照明装置１１の制御部５２は、短距離無線通信部５３を介して、自装置とペアリングの関係にある第２の照明装置１２に発信者の情報と鳴動指示を送る（ステップ１０４）。
【００４０】
第２の照明装置１２の制御部５２は、短距離無線通信部５３を介して、第１の照明装置１１から発信者の情報と鳴動指示を受け取ると、スピーカ５４を制御して第２の部屋１５内に着信を示す音声を鳴動させる（ステップ１０５）。第２の照明装置１２の制御部５２は、第１の照明装置１１と同様に、スピーカ５４から音楽と発信者の情報を出力して着信を通知する。また、第２の照明装置１２の制御部５２は、短距離無線通信部５３を介して、自装置とペアリングの関係にある第３の照明装置１３に発信者の情報と鳴動指示を送る（ステップ１０６）。
【００４１】
第３の照明装置１３の制御部５２は、短距離無線通信部５３を介して、第２の照明装置１２から発信者の情報と鳴動指示を受け取ると、スピーカ５４を制御して第３の部屋１６内に着信を示す音声を鳴動させる（ステップ１０７）。第３の照明装置１３の制御部５２は、第１の照明装置１１および第２の照明装置１２と同様に、スピーカ５４から音楽と発信者の情報を出力して着信を通知する。
【００４２】
第３の部屋１６にいる利用者４０は、着信を示す鳴動を認識すると（ステップ１０８）、着信を受け入れる用語を発声する（ステップ１０９）。例えば、利用者４０は、着信を受け入れる用語として「もしもし」と発声することで、通話を開始することを示す応答を行う。図７は、各部屋において鳴動が行われている状態を模式的に示した図である。図７では、第１の部屋１４、第２の部屋１５および第３の部屋１６にそれぞれ設置された第１の照明装置１１、第２の照明装置１２および第３の照明装置１３からそれぞれ着信を示す鳴動が行われている。また、第３の部屋１６にいる利用者４０は、着信を示す鳴動に対して「もしもし」と発声することで応答を行っている。
【００４３】
利用者４０が発した音声は、第３の照明装置１３のマイク５５に入力される。マイク５５に入力された利用者４０の音声は、電気信号に変換され音声解析部５６に音声信号として送られる。音声信号が入力されると、音声解析部５６は、入力された音声信号を解析する。音声信号が着信を受け入れるものであることを検知すると、音声解析部５６は、受話を示す信号を制御部５２に送る。
【００４４】
第３の照明装置１３の制御部５２は、音声解析部５６から送られてくる信号を基に受話を認識する（ステップ１１０）。受話を認識すると、制御部５２は、短距離無線通信部５３を介して、自装置への鳴動指示の送信元である第２の照明装置１２に受話を示す制御信号を受話通知として送る（ステップ１１１）。
【００４５】
第２の照明装置１２の制御部５２は、短距離無線通信部５３を介して、第３の照明装置１３から受話通知を受け取ると、受話通知を自装置への鳴動指示の送信元である第１の照明装置１１に短距離無線通信部５３を介して送る（ステップ１１２）。
【００４６】
第１の照明装置１１の制御部５２は、短距離無線通信部５３を介して、第２の照明装置１２から受話通知を受け取ると、受話通知を自装置への鳴動指示の送信元である通信端末装置２０に短距離無線通信部５３を介して送る（ステップ１１３）。
【００４７】
通信端末装置２０は、第１の照明装置１１から受話通知を受け取ると、基地局３０に受話の通知を送る（ステップ１１４）。基地局３０が通信端末装置２０からの受話の通知を受け取ると、基地局３０と通信端末装置２０の間で通話のための通信が開始される（ステップ１１５）。
【００４８】
通話が開始されると、利用者４０の音声は、第３の照明装置１３のマイク５５で集音され、制御部５２および短距離無線通信部５３を介して第２の照明装置１２に送られる。第３の照明装置１３で集音された利用者４０の音声は、第２の照明装置１２および第１の照明装置１１を介して、通信端末装置２０に送られる。通信端末装置２０は、受信した利用者４０の音声データを基地局３０に送る。
【００４９】
また、基地局３０から通信端末装置２０に送られてきた利用者４０の通話相手の音声データは、第１の照明装置１１および第２の照明装置１２を介して第３の照明装置１３に送られる。第３の照明装置１３の制御部５２は、利用者４０の通話相手の音声データを、短距離無線通信部５３を介して受け取ると、スピーカ５４を制御して、音声を第３の部屋１６内に出力する。第３の照明装置１３のスピーカ５４から音声が放出されることで、利用者４０は、通話相手の声を聴くことができる。
【００５０】
以上のような動作で、通話の開始および通話を行うことで利用者４０は通信端末装置２０の近傍にいなくても、通信端末装置の通話機能を利用して通話を行うことができる。また、鳴動指示に応じて、各照明装置が行う鳴動は、１回のみでもよく所定の回数または時間、繰り返されるようにしてもよい。また、各照明装置が行う鳴動は、自装置で受話を示す応答を検知したとき、または、他の照明装置５０から受話通知を受け取ったときに停止されるようにしてもよい。
【００５１】
次に、利用者４０によって通話の切断が行われる際の動作について説明する。図８は、本実施形態の通信システムにおいて利用者４０によって通話の切断が行われる際の動作フローの概要を示したものである。
【００５２】
第３の部屋１６にいる通話中の利用者４０は、自分の側から通話を終えるときに、切断を示す用語を発声する（ステップ１２１）。例えば、利用者４０は、「通話終了」と切断を示す用語を発声する。利用者４０が発した音声は、第３の照明装置１３のマイク５５に入力される。マイク５５に入力された利用者４０の音声は、音声解析部５６に音声信号として送られる。音声信号が入力されと、音声解析部５６は、入力された音声信号を解析する。音声信号が通話の切断を示すものであることを検知すると、音声解析部５６は、切断を示す信号を制御部５２に送る。
【００５３】
第３の照明装置１３の制御部５２は、音声解析部５６から送られてくる信号を基に切断を認識する（ステップ１２２）。通話の切断を認識すると、制御部５２は、短距離無線通信部５３を介して、第２の照明装置１２に通話の切断を示す制御信号を切断通知として送る（ステップ１２３）。
【００５４】
第２の照明装置１２の制御部５２は、短距離無線通信部５３を介して、第３の照明装置１３から切断通知を受け取ると、切断通知を第１の照明装置１１に短距離無線通信部５３を介して送る（ステップ１２４）。
【００５５】
第１の照明装置１１の制御部５２は、短距離無線通信部５３を介して、第２の照明装置１２から切断通知を受け取ると、切断通知を通信端末装置２０に短距離無線通信部５３を介して送る（ステップ１２５）。
【００５６】
通信端末装置２０は、第１の照明装置１１から切断通知を受け取ると、基地局３０に通話の切断の通知を送る（ステップ１２６）。基地局３０は、通信端末装置２０からの切断の通知を受け取ると、通話の切断処理を行う（ステップ１２７）。
【００５７】
次に、利用者４０の側から通話を開始する場合の動作について説明する。図９は、本実施形態の通信システムにおいて、利用者４０の側から通話を開始する場合の動作フローの概要を示したものである。
【００５８】
第３の部屋１６にいる通話中の利用者４０は、自分の側から発信を行うとき、発信を示す用語と通話相手の情報を発声する（ステップ１３１）。例えば、利用者４０は、「Ｂさんと通話」のように発声し、発信を示す用語と通話相手の情報を発声する。利用者４０が発した音声は、第３の照明装置１３のマイク５５に入力される。マイク５５に入力された利用者４０の音声は、音声解析部５６に音声信号として送られる。音声信号が入力されと、音声解析部５６は、入力された音声信号を解析する。音声信号が通話の発信を示すものであることを検知すると、音声解析部５６は、発信を示す信号と通話相手の情報を制御部５２に送る。
【００５９】
第３の照明装置１３の制御部５２は、音声解析部５６から送られてくる信号を基に発信を認識する（ステップ１３２）。発信を認識すると、制御部５２は、短距離無線通信部５３を介して、第２の照明装置１２に通話の発信を示す制御信号と通話先の相手の情報を発信通知として送る（ステップ１３３）。
【００６０】
第２の照明装置１２の制御部５２は、短距離無線通信部５３を介して、第３の照明装置１３から発信通知を受け取ると、発信通知を第１の照明装置１１に短距離無線通信部５３を介して送る（ステップ１３４）。
【００６１】
第１の照明装置１１の制御部５２は、短距離無線通信部５３を介して、第２の照明装置１２から発信通知を受け取ると、発信通知を通信端末装置２０に短距離無線通信部５３を介して送る（ステップ１３５）。
【００６２】
通信端末装置２０は、第１の照明装置１１から発信通知を受け取ると、発信通知から通話相手の情報を抽出する。通信端末装置２０は、通話相手の情報から通話相手の電話番号を判断し、通話先を特定する（ステップ１３６）。通話先を特定すると、通信端末装置２０は、通話先の電話番号と接続要求を基地局３０に送る（ステップ１３７）。基地局３０は、通信端末装置２０からの接続要求を受け取ると、電話番号を基に通話相手の呼び出しを行う（ステップ１３８）。基地局３０が通話相手の応答を検知すると、通話が開始される（ステップ１３９）。
【００６３】
本実施形態では通信端末装置２０は、第１の部屋１４に置かれ、第１の照明装置１１と無線通信を行っていた。そのような構成に代えて、通信端末装置２０は、第２の部屋１５など他の場所に置かれていてもよい。第２の部屋１５に置かれている場合には、通信端末装置２０は、第２の照明装置１２と無線通信を行う。また、通信端末装置２０から鳴動指示を受けたときに、第２の照明装置１２は、第１の照明装置１１および第３の照明装置１３に鳴動指示を送信する。また、本実施形態の照明付き通信システムでは、各照明装置は、１台または２台の他の照明装置とペアリングが行われているが、３つ以上の照明装置と通信を行ってもよい。３つ以上の通信装置と通信を行う場合には、鳴動指示を受け取った照明装置は、送信元以外の照明装置に対して鳴動指示をそれぞれ送る。
【００６４】
また、本実施形態の各照明装置は、利用者４０の音声を基に、着信通知への受話等の応答を検知していたが、通信の制御に関する利用者４０からの情報の発信は音声以外の方法によって行われてもよい。例えば、撮像装置や動作を検知するセンサを備え、利用者４０の動きを識別して受話等の応答が検知されるようにしてもよい。また、受話等の応答は利用者４０が各部屋に設置されたスイッチ等を直接、操作することによって行われ、通話のみがハンズフリー機能を用いて行われるようにしてもよい。
【００６５】
本実施形態の各照明装置は、スピーカ５４からの鳴動等によって利用者４０に着信等の通知を行っているが、通信端末装置２０の利用者４０への着信等の通知は、照明装置の照明の点滅または調光によって行われてもよい。また、通信端末装置２０の利用者４０への着信等の通知は、各部屋に備えられた振動素子等の他の装置によって行われてもよい。
【００６６】
本実施形態の照明付き通信システムでは、利用者４０は、各照明装置を介して通信端末装置２０を用いて、通信先の相手と通話を行うことができる。そのため、利用者４０は、通信端末装置２０の近くにいなくても、各照明装置が設置された部屋のいずれかにいれば通話を行うことができる。また、各照明装置のスピーカから発せられた音声に、声で応答すれば通話の開始等を行うことができるので、利用者４０は、直接、手で機器を操作する動作を必要とせずに、ハンズフリーで通話を行うことができる。
【００６７】
本実施形態の照明付き通信システムでは、各照明装置を隣接する照明装置間で通信を行える位置に配置すればよいので、通信端末装置２０から直接、無線電波が届かないような位置においても通信を行うことが可能になる。また、本実施形態の照明付き通信システムでは、各部屋に設置されている照明装置間で通信を行うことができるので、利用者４０が通信端末装置２０と通信を行うために、各部屋に通常、置かれている機器と独立に通信装置を備える必要はない。そのため、各部屋の美観の維持や設置スペースの抑制が可能となる。
【００６８】
また、本実施形態の照明付き通信システムでは、通信端末装置２０は、自装置が設置されている部屋にある照明装置とのみ近距離の無線通信を行えばよいので、待機時や動作時に利用者４０の近傍に届くような高出力の電波を出力する必要はない。そのため、通信端末装置２０は、消費電力を抑制することができる。以上より、本実施形態の照明付き通信システムでは、通信端末装置の消費電力を抑制しつつ、場所や利用者の状態に依存せず通話等の通信を行うことができる。
【００６９】
（第３の実施形態）
本発明の第３の実施形態について図を参照して詳細に説明する。図１０は、本実施形態の照明付き通信システムの構成の概要を示したものである。第２の実施形態の照明付き通信システムでは、中継する全ての照明装置が着信を示す鳴動を行っているが、本実施形態の照明付き通信システムでは利用者がいる部屋の照明装置のみが着信を示す鳴動を行うことを特徴とする。
【００７０】
本実施形態の照明付き通信システムは、第１の照明装置６１と、第２の照明装置６２と、第３の照明装置６３と、通信端末装置２０と、基地局３０を備えている。また、本実施形態の第１の照明装置６１、第２の照明装置６２および第３の照明装置６３は、第２の実施形態と同様に、それぞれ第１の部屋１４、第２の部屋１５および第３の部屋１６に備えられている。
【００７１】
本実施形態の第１の部屋１４、第２の部屋１５および第３の部屋１６はそれぞれ区切られた空間である。照明装置の数および区切られた空間の数は、それぞれ３つ以外であってもよい。また、水平方向だけでなく垂直方向に照明装置および区切られた空間が配置されていてもよい。また、照明装置の間に空間を仕切る壁等を設けずに、１つの空間に２つ以上の照明装置が備えられていてもよい。
【００７２】
第１の照明装置６１、第２の照明装置６２および第３の照明装置６３の構成について説明する。図１１は、第１の照明装置６１、第２の照明装置６２および第３の照明装置６３として用いる照明装置７０の構成の概要を示したものである。照明装置７０は、照明部５１と、短距離無線通信部５３と、スピーカ５４と、マイク５５と、音声解析部５６と、記憶部５７を備えている。また、照明装置７０は、制御部７１と、センサ部７２をさらに備えている。本実施形態の照明部５１、短距離無線通信部５３、スピーカ５４、マイク５５、音声解析部５６および記憶部５７の構成と機能は、第２の実施形態の同名称の部位と同様である。
【００７３】
制御部７１は、第２の実施形態の照明装置５０の制御部５２と同様の機能を有する。また、制御部７１は、自装置が設置されている部屋に利用者４０がいないときに、鳴動動作を行わずに鳴動指示の中継のみを行う機能を有する。制御部７１は、センサ部７２から送られてくるデータを基に、部屋に人がいるかを判断する。制御部７１は、部屋に人がいないときに、通信端末装置２０または他の照明装置７０から鳴動指示を受けたとき、自装置の鳴動を行わずに、ペアリングされている照明装置７０に短距離無線通信部５３を介して鳴動指示を送る。制御部７１は、部屋に人がいるときに、通信端末装置２０または他の照明装置７０から鳴動指示を受けたとき、スピーカ５４を制御して鳴動を行い、ペアリングされている照明装置７０に短距離無線通信部５３を介して鳴動指示を送る。鳴動指示に基づくスピーカ５４からの鳴動は、第２の実施形態と同様に行うことができる。
【００７４】
センサ部７２は、照明装置７０が設置されている部屋の中にいる人を検出する機能を有する。センサ部７２には、例えば、赤外線センサを用いることができる。センサ部７２は、人を検知したときに人を検知していることを示す信号を制御部７１に送る。
【００７５】
本実施形態のシステムの動作について説明する。以下では、通信端末装置２０が第１の部屋１４に置かれ、第３の部屋１６に利用者４０が存在し、第１の部屋１４および第２の部屋１５には、人が存在しない場合を例に説明を行う。図１２は、本実施形態の通信システムにおいて通話が行われる際の動作フローを示したシーケンス図である。
【００７６】
基地局３０は、ネットワークを介して通信端末装置２０への通話要求を受け取ると、通信端末装置２０に着信通知を送信する（ステップ１４１）。基地局３０から着信通知を受け取ると、通信端末装置２０は、発信者の情報と鳴動を示す制御信号である鳴動指示を第１の照明装置６１に送る（ステップ１４２）。
【００７７】
第１の照明装置６１の制御部７１は、短距離無線通信部５３を介して、通信端末装置２０から発信者の情報と鳴動指示を受け取ると、センサ部７２から入力される信号を基に、第１の部屋１４内に人がいるかを確認する。第１の部屋１４に人がいないことを確認すると、制御部７１は、短距離無線通信部５３を介して、自装置とペアリングの関係にある第２の照明装置６２に発信者の情報と鳴動指示を送る（ステップ１４３）。
【００７８】
第２の照明装置６２の制御部７１は、短距離無線通信部５３を介して、第１の照明装置６１から発信者の情報と鳴動指示を受け取ると、センサ部７２から入力される信号を基に、第２の部屋１５内に人がいるかを確認する。第２の部屋１５内に人がいないことを確認すると、制御部７１は、短距離無線通信部５３を介して、自装置とペアリングの関係にある第３の照明装置６３に発信者の情報と鳴動指示を送る（ステップ１４４）。
【００７９】
第３の照明装置６３の制御部７１は、短距離無線通信部５３を介して、第２の照明装置６２から発信者の情報と鳴動指示を受け取ると、センサ部７２から入力される信号を基に、第３の部屋１６内に人がいるかを確認する。第３の部屋１６内に人がいることを検知すると、制御部７１は、スピーカ５４を制御して第３の部屋１６内に着信を示す音声を、第２の実施形態と同様に鳴動させる（ステップ１４５）。
【００８０】
第３の部屋１６にいる利用者４０は、着信を示す鳴動を認識すると（ステップ１４６８）、着信を受け入れる用語を発声する（ステップ１４７）。図１３は、各部屋において鳴動が行われている状態を模式的に示した図である。図１３では、第１の部屋１４、第２の部屋１５にそれぞれ設置された第１の照明装置６１および第２の照明装置６２は、人を検知しないていないので鳴動を行っていない。一方で、利用者４０が存在する第３の部屋１６に設置された第３の照明装置６３は、着信を示す鳴動を行っている。また、第３の部屋１６にいる利用者４０は、着信を示す鳴動に対して「もしもし」と発声することで応答を行っている。
【００８１】
利用者４０が発した音声は、第３の照明装置６３のマイク５５に入力される。マイク５５に入力された利用者４０の音声は、電気信号に変換され音声解析部５６に音声信号として送られる。音声信号が入力されと、音声解析部５６は、入力された音声信号を解析する。音声信号が着信を受け入れるものであることを検知すると、音声解析部５６は、受話を示す信号を制御部７１に送る。
【００８２】
第３の照明装置６３の制御部７１は、音声解析部５６から送られてくる信号を基に受話を認識する（ステップ１４８）。受話を認識すると、制御部７１は、短距離無線通信部５３を介して、自装置への鳴動指示の送信元である第２の照明装置６２に受話を示す制御信号を受話通知として送る（ステップ１４９）。
【００８３】
第２の照明装置６２の制御部７１は、短距離無線通信部５３を介して、第３の照明装置６３から受話通知を受け取ると、受話通知を自装置への鳴動指示の送信元である第１の照明装置６１に短距離無線通信部５３を介して送る（ステップ１５０）。
【００８４】
第１の照明装置６１の制御部７１は、短距離無線通信部５３を介して、第２の照明装置６２から受話通知を受け取ると、受話通知を自装置への鳴動指示の送信元である通信端末装置２０に短距離無線通信部５３を介して送る（ステップ１５１）。
【００８５】
通信端末装置２０は、第１の照明装置６１から受話通知を受け取ると、基地局３０に受話の通知を送る（ステップ１５２）。基地局３０が通信端末装置２０からの受話の通知を受け取ると、基地局３０と通信端末装置２０の間で通話のための通信が開始される（ステップ１５３）。
【００８６】
通話が開始されると、利用者４０の音声は、第３の照明装置６３のマイク５５で集音され、制御部７１および短距離無線通信部５３を介して第２の照明装置６２に送られる。第３の照明装置６３で集音された利用者４０の音声は、第２の照明装置６２および第１の照明装置６１を介して、通信端末装置２０に送られる。通信端末装置２０は、受信した利用者４０の音声データを基地局３０に送る。
【００８７】
また、基地局３０から通信端末装置２０に送られてきた利用者４０の通話相手の音声データは、第１の照明装置６１および第２の照明装置６２を介して第３の照明装置６３に送られる。第３の照明装置６３の制御部７１は、利用者４０の通話相手の音声データを、短距離無線通信部５３を介して受け取ると、スピーカ５４を制御して、音声を第３の部屋１６内に放出する。第３の照明装置１３のスピーカ５４から音声が放出されることで、利用者４０は、通話相手の声を聴くことができる。
【００８８】
以上のような動作で、通話の開始および通話を行うことで利用者４０は通信端末装置２０の近傍にいなくても、通信端末装置の通話機能を利用して通話を行うことができる。また、本実施形態の照明付き通信システムにおいて、通話の切断や利用者４０側からの発信等は、第２の実施形態と同様の方法で行うことができる。
【００８９】
本実施形態の照明付き通信システムでは、部屋に人が存在しない場合に、鳴動を行っていないが、全ての部屋に人がいない場合に、不在であることを示す情報が通信端末装置２０から発信元に送られるようにしてもよい。そのような構成とする場合には、例えば、鳴動指示を受け取った照明装置の制御部７１は、自装置の部屋に人がいないときに第１の照明装置１１宛に人がいないことを示す信号を送る。第１の照明装置１１の制御部７１は、自装置を含む全ての装置から人がいないことを示す信号を受け取ったときに、通信端末装置２０に利用者４０が不在であることを示す情報を送る。通信端末装置２０は、第１の照明装置６１から受け取る利用者４０が不在であることを示す情報を基に、発信元に利用者４０が不在であることを通知する。
【００９０】
本実施形態の照明付き通信システムは、第２の実施形態の照明付き通信システムと同様の効果を有する。また、本実施形態の照明付き通信システムでは、各照明装置は、センサ部７２で各部屋の内部に人がいないかを監視し、鳴動指示を受けたときに、人を検知したときのみスピーカ５４からの鳴動を行っている。すなわち、鳴動指示を受けた際に、設置されている部屋の中に人を検知していない照明装置は、鳴動を行わない。本実施形態の照明付き通信システムでは、そのように人を検知している部屋の照明装置のみが鳴動を行うことで、不必要な音の発生を抑え騒音等を抑制することができる。
【００９１】
第２および第３の実施形態では、ハンズフリー機能と通信の中継機能を有する通信機能を照明装置が備えていた。そのような構成に代えて、通信機能を各部屋に備え付けられている他の装置に備えることで、通信端末装置と利用者の間で通信ができるようにしてもよい。居間や寝室など利用者が存在する可能性が高い部屋に設置され、電源供給を行えるような装置に第２および第３の実施形態のようなハンズフリー機能と通信の中継機能を有する通信機能を付加することで、照明装置の場合と同様に用いることができる。例えば、オーディオ機器、テレビ等の映像機器および空調装置のような家庭用電気機器が、第２および第３の実施形態のようなハンズフリー機能と通信の中継機能を備える構成としてもよい。また、インターフォン、火災報知器、地域放送用の設備およびその他の情報の報知用の装置の一部として第２および第３の実施形態のようなハンズフリー機能と通信の中継機能を有する通信機能を備えていてもよい。また、照明装置の照明部分ではなく、壁等に設置されているスイッチに第２および第３の実施形態のようなハンズフリー機能と通信の中継機能を有する通信機能が付加されていてもよい。また、第２および第３の実施形態のようなハンズフリー機能と通信の中継機能を有する通信機能を備える装置は、部屋ごとに異なるものであってもよい。また、通信の中継機能のみを有する通信装置が、異なる階や離れた位置にある各装置の間の通信を中継する構成としてもよい。
【００９２】
第２および第３の実施形態では、ペアリングされている照明装置間の短距離無線通信によって通信が行われているが、照明装置間の通信はＰＬＣ(Power Line Communication；電力線搬送通信)方式等の他の通信方式によって行われてもよい。また、照明装置間の通信は、１つの通信装置を介して行われてもよい。例えば、各照明装置が無線ＬＡＮ（Local Area Network）アクセスポイントを介して通信を行うようにしてもよい。
【００９３】
第２および第３の実施形態では、着信時に「もしもし」など受話に対応するキーワード発して、受話を行なっている。そのような構成に加えて、会話内容を同じ部屋にいる人に聞かれたくない場合などに、応答を保留する構成を備えていてもよい。例えば、利用者が「出ます」のような代理応答に対応するキーワードを発した際に、通信端末装置が発信者である通話相手側に「まもなく電話に出ます。少々お待ちください。」のようにメッセージを通知して通話開始を保留するようにしてもよい。そのような構成とした場合には、利用者が保留状態の間に通信端末装置の置かれている部屋または人のいない他の部屋に行って保留を解除することで、通話を開始する構成とすることができる。
【００９４】
第２および第３の実施形態では、部屋の中に利用者が１人のみいる例を示しているが、部屋の中にいる人は複数人であってもよい。部屋の中に複数人いる場合に、照明装置の記憶部に利用者ごとの声紋情報を登録しておき、スピーカに入力された声が着信通知の宛先と一致したときに通話が開始されるようにしてもよい。また、いずれかの部屋で既に照明装置を介して通話中であった場合に、同じ部屋にいる他の利用者に着信があったときに、別室での受話を促す音声を流すようにしてもよい。利用者の識別は、声紋以外によって行われてもよい。例えば、ネットワークカメラと連携した顔認証によって利用者の識別が行われてもよい。
【００９５】
第２および第３の実施形態では、照明装置はスマートフォン等の通信端末装置のハンズフリー端末として用いられているが、固定電話やインターフォンのハンズフリー端末として用いられてもよい。
【００９６】
第２および第３の実施形態の照明付き通信システムは、各照明装置を介して通信端末装置との通信を行っているが、照明装置間で通信する内線電話としての機能が備えられていてもよい。例えば、利用者が「部屋Ｃへ内線」のような内線に対応したキーワードを発声することで、部屋Ａへ内線発信が行われるようにしてもよい。また、ネットワークカメラと連携し、いずれかの部屋にはいるが、どの部屋にいるのかわからない人を呼び出す場合に、「Ｄさんへ内線」と発声し、ネットワークカメラが認識した部屋に内線発信が行われるようにしてもよい。
【００９７】
第２および第３の実施形態では、照明装置は電話の着信を鳴動や音声で利用者に通知しているが、メールなどのアプリケーションデータの着信を示す通知であってもよい。また、通信端末装置がメール等のデータを、照明装置へ通知し、利用者が読み上げに対応するキーワードを発声することで、メールの内容が読み上げられる構成としてもよい。また返信およびメールの文章に対応するキーワードを発声することで、メールの返信が行われるようにしてもよい。
【符号の説明】
【００９８】
１    通信手段
２    通知手段
３    検知手段
４    通信制御手段
１１    第１の照明装置
１２    第２の照明装置
１３    第３の照明装置
１４    第１の部屋
１５    第２の部屋
１６    第３の部屋
２０    通信端末装置
２１    無線通信部
２２    短距離無線通信部
２３    通信制御部
２４    入出力部
３０    基地局
４０    利用者
５０    照明装置
５１    照明部
５２    制御部
５３    短距離無線通信部
５４    スピーカ
５５    マイク
５６    音声解析部
５７    記憶部
６１    第１の照明装置
６２    第２の照明装置
６３    第３の照明装置
７０    照明装置
７１    制御部
７２    センサ部
【図１】
0006666742.tif 000002
【図２】
0006666742.tif 000003
【図３】
0006666742.tif 000004
【図４】
0006666742.tif 000005
【図５】
0006666742.tif 000006
【図６】
0006666742.tif 000007
【図７】
0006666742.tif 000008
【図８】
0006666742.tif 000009
【図９】
0006666742.tif 000010
【図１０】
0006666742.tif 000011
【図１１】
0006666742.tif 000012
【図１２】
0006666742.tif 000013
【図１３】
0006666742.tif 000014